(57)【要約】      （修正有）【課題】操作する際に指先の動きを必要とする器具を使用する際に、指先の動きを補助する操作補助具付きスプーン及び筆記具を提供する。【解決手段】操作補助具付きスプーン１００は、スプーン１１０と操作補助具１２０とを備える。操作補助具１２０は、親指を通すための親指用筒１２２と、人差し指を通すための人差し指用筒１２４と、中指を通すための中指用筒１２６とを有する。親指用筒１２２、人差し指用筒１２４及び中指用筒１２６は、指を挿入する側の端部から他の端部に向かって、徐々に径が細くなる。スプーン１１０を操作する際の指先の動きを補助することが可能である。また、指を挿入する側が大径であることにより、指を挿入しやすい。また、他の端部が細径であることによって、スプーン１１０を操作する際に力を入れやすい。【選択図】図１
0003193686.tif 000002
【実用新案登録請求の範囲】
【請求項１】
操作補助具を備えたカトラリーであって、
前記操作補助具は、親指を通すための親指用筒と、人差し指を通すための人差し指用筒と、中指を通すための中指用筒とを有することを特徴とする、操作補助具付きカトラリー。
【請求項２】
前記親指用筒、前記人差し指用筒及び前記中指用筒のうち少なくとも一つは、指を挿入する側の端部から他の端部に向かって、徐々に径が細くなることを特徴とする、請求項１に記載の操作補助具付きカトラリー。
【請求項３】
操作補助具を備えた筆記具であって、
前記操作補助具は、親指を通すための親指用筒と、人差し指を通すための人差し指用筒と、中指を通すための中指用筒とを有することを特徴とする、操作補助具付き筆記具。
【請求項４】
前記親指用筒、前記人差し指用筒及び前記中指用筒のうち少なくとも一つは、指を挿入する側の端部から他の端部に向かって、徐々に径が細くなることを特徴とする、請求項３に記載の操作補助具付き筆記具。
【考案の詳細な説明】
【技術分野】
【０００１】
本考案は、器具を指先で操作する際の補助となる補助具を備えた、操作補助具付きの器具に関する。より詳細には、操作補助具付きカトラリー及び操作補助具付き筆記具に関する。なお、本考案の操作補助具付きカトラリーと操作補助具付き筆記具は、同一の又は対応する特別な技術的特徴を有する。
【背景技術】
【０００２】
指先の動きで操作する器具としては、スプーンやフォークやナイフなどのカトラリー（非特許文献１参照）や、鉛筆、万年筆、ペン、タッチペンなどの筆記具などがある。日常生活行動になんら支障がない健常者にとっては、これら器具を使うのに特に不自由に感じることはない。
【先行技術文献】
【非特許文献】
【０００３】
【非特許文献１】インターネット＜ＵＲＬ：http://ja.wikipedia.org/wiki/%E3%82%AB%E3%83%88%E3%83%A9%E3%83%AA%E3%83%BC＞
【考案の概要】
【考案が解決しようとする課題】
【０００４】
しかしながら、小さな子供やご高齢の方や病気の方などで、腕や指は動くが、握力が無いような者にとっては、指先の動きを必要とする器具を使うのに不自由に感じることがあった。このような問題は、健常者には気づきにくく、このような問題を解決できる器具の開発は特にされていないのが現状である。
【０００５】
そこで本考案は、このような問題に鑑みてなされたもので、その目的とするところは、操作する際に指先の動きを必要とする器具を使用する際に、指先の動きを補助することの可能な、新規かつ改良された操作補助具付きカトラリー及び操作補助具付き筆記具を提供することにある。
【課題を解決するための手段】
【０００６】
上記課題を解決するために、本考案によれば、操作補助具を備えたカトラリーであって、前記操作補助具は、親指を通すための親指用筒と、人差し指を通すための人差し指用筒と、中指を通すための中指用筒とを有することを特徴とする、操作補助具付きカトラリーが提供される。
【０００７】
スプーンやフォークやナイフなどのカトラリーは、操作する際に指先の動きを必要とする。本考案によれば、カトラリーに操作補助具を備え、親指、人差し指、中指を操作補助具に通すことによって、カトラリーを操作する際の指先の動きを補助することが可能である。
【０００８】
本考案の操作補助具付きカトラリーにおいて、さまざまな応用が可能である。例えば、前記親指用筒、前記人差し指用筒及び前記中指用筒のうち少なくとも一つは、指を挿入する側の端部から他の端部に向かって、徐々に径が細くなるように構成してもよい。指を挿入する側が大径であることにより、指を挿入しやすい。また、他の端部が細径であることによって、カトラリーを操作する際に力を入れやすい。
【０００９】
上記課題を解決するために、本考案によれば、操作補助具を備えた筆記具であって、前記操作補助具は、親指を通すための親指用筒と、人差し指を通すための人差し指用筒と、中指を通すための中指用筒とを有することを特徴とする、操作補助具付き筆記具が提供される。
【００１０】
鉛筆、万年筆、ペン、タッチペンなどの筆記具は、操作する際に指先の動きを必要とする。本考案によれば、筆記具に操作補助具を備え、親指、人差し指、中指を操作補助具に通すことによって、筆記具を操作する際の指先の動きを補助することが可能である。
【００１１】
本考案の操作補助具付き筆記具において、さまざまな応用が可能である。例えば、前記親指用筒、前記人差し指用筒及び前記中指用筒のうち少なくとも一つは、指を挿入する側の端部から他の端部に向かって、徐々に径が細くなるように構成してもよい。指を挿入する側が大径であることにより、指を挿入しやすい。また、他の端部が細径であることによって、筆記具を操作する際に力を入れやすい。
【考案の効果】
【００１２】
本考案によれば、操作する際に指先の動きを必要とする器具を使用する際に、指先の動きを補助することが可能である。なお、本考案のその他の効果や応用例については、さらに後述する。
【図面の簡単な説明】
【００１３】
【図１】操作補助具付きスプーンを示す図である。
【図２】親指用筒、人差し指用筒及び中指用筒を示す図である。
【図３】操作補助具付きスプーンに指を挿入した状態を示す図である。
【図４】操作補助具付きタッチペンに指を挿入した状態を示す図である。
【考案を実施するための形態】
【００１４】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１５】
（第１の実施形態）
本考案の第１の実施形態について説明する。本実施形態では、操作補助具付きカトラリーの一例として、操作補助具付きスプーンについて説明する。図１は、本実施形態に係る操作補助具付きスプーンを示す図である。
【００１６】
操作補助具付きスプーン１００は、図１に示したように、スプーン１１０に操作補助具１２０を備える。そして、操作補助具１２０は、親指を通すための親指用筒１２２と、人差し指を通すための人差し指用筒１２４と、中指を通すための中指用筒１２６とを有する。以下、順に説明する。
【００１７】
スプーン１１０は、カトラリーの一種であり、飲食用などに用いられる。素材は金属製、木製、陶器製、プラスチック製など任意でよく、大きさも任意でよい。スプーン１１０は、操作する際に指先の動きを必要とするため、高齢の方や手指が不自由な方など、スプーン１１０を使いこなすのが難しい場合がある。そこで、スプーン１１０に、指先の動きを補助するための操作補助具１２０を備える。
【００１８】
操作補助具１２０は、図１に示したように、スプーン１１０の柄の部分に固定されている。操作補助具１２０は、親指用筒１２２、人差し指用筒１２４及び中指用筒１２６からなる。これらの筒は、任意の材質で構成することができるが、例えば、プラスチックで構成することができる。
【００１９】
図２は、図１の操作補助具付きスプーン１００から、親指用筒１２２、人差し指用筒１２４及び中指用筒１２６を分解した図である。親指用筒１２２、人差し指用筒１２４及び中指用筒１２６は、それぞれ、指を挿入する側の端部から他の端部に向かって、徐々に径が細くなっている。指を挿入する側の端部が大径であることにより、指を挿入しやすい。また、他の端部が細径であることによって、操作補助具付きスプーン１００を操作する際に力を入れやすい。
【００２０】
なお、親指用筒１２２、人差し指用筒１２４及び中指用筒１２６の大きさは、例えば大人用・子供用などさまざまなサイズのものを製品として予め作成しておくことが可能である。あるいは、特定の使用者に向けてのオーダーメイドとしてもよい。操作補助具１２０のスプーン１１０への固定は、ホットボンドなどで行うことができる。操作補助具１２０をスプーン１１０に固定した際に、操作補助具１２０の角度が適切になるように、操作補助具１２０を予め適切な状態に設計しておく。なお、操作補助具１２０を、事後的に角度調整できるようにに取り付けることも可能である。
【００２１】
以上、本実施形態にかかる操作補助具付きスプーン１００の構成を説明した。次に、この操作補助具付きスプーン１００の使い方について説明する。
【００２２】
図３は、操作補助具付きスプーン１００に指を挿入した状態を示す図である。上述したように、親指用筒１２２、人差し指用筒１２４及び中指用筒１２６において、指を挿入する側が大径であることにより、指を挿入しやすい。指先を操作して、操作補助具付きスプーン１００を動かして食事をすることができる。このとき、上述したように、他の端部が細径であることによって、操作補助具付きスプーン１００を操作する際に力を入れやすい。
【００２３】
以上説明したように、本実施形態によれば、操作補助具１２０を有することによって、スプーン１１０を使用する際に、指先の動きを補助することが可能である。また、操作補助具１２０において、指を挿入する側が大径であることにより、指を挿入しやすい。また、他の端部が細径であることによって、スプーン１１０を操作する際に力を入れやすい。
【００２４】
特に、小さな子供やご高齢の方や病気の方などで、腕や指は動くが、握力が無いような場合に、効果的である。また、被介護者の自助具としても有効である。
【００２５】
なお、本実施形態では、カトラリーの一例としてスプーンを例に挙げて説明したが、他のカトラリー、例えばフォークやナイフや箸や先割れスプーン等であっても、本実施形態と同様の構成とすることができ、本実施形態と同様の効果を得ることができる。
【００２６】
（第２の実施形態）
本考案の第２の実施形態について説明する。本実施形態では、操作補助具付き筆記具の一例として、操作補助具付きタッチペンについて説明する。図４は、本実施形態に係る操作補助具付きタッチペンを示す図である。
【００２７】
操作補助具付きタッチペン２００は、図４に示したように、タッチペン２１０に操作補助具２２０を備える。そして、操作補助具２２０は、親指を通すための親指用筒１２２と、人差し指を通すための人差し指用筒１２４と、中指を通すための中指用筒１２６とを有する。なお、親指用筒１２２、人差し指用筒１２４及び中指用筒１２６は、上記第１の実施形態（図２）で説明したとおりであるので、重複説明を省略する。
【００２８】
タッチペンは、タッチパネルやタブレット用のペン型のポインティングデバイスである。近年では携帯端末などを操作する際に広く用いられている。一般に、タッチペンを用いて、携帯端末の画面に文字を書くこともあることから、本明細書では、タッチペンを筆記具の一種として説明する。タッチペン２１０の太さや大きさは任意でよい。タッチペン２１０は、操作する際に指先の動きを必要とするため、高齢の方や手指が不自由な方など、タッチペン２１０を使いこなすのが難しい場合がある。そこで、タッチペン２１０に、指先の動きを補助するための操作補助具２２０を備える。
【００２９】
操作補助具２２０は、上記第１の実施形態の操作補助具１２０と比較して、タッチペン２１０を通す部分の太さや形状が異なる。その他の点については、上記第１の実施形態の操作補助具１２０と実質的に同様であるため、重複説明を省略する。
【００３０】
以上、本実施形態にかかる操作補助具付きタッチペン２００の構成を説明した。次に、この操作補助具付きタッチペン２００の使い方について説明する。
【００３１】
図４は、操作補助具付きタッチペン２００に指を挿入した状態を示す図である。上述したように、親指用筒１２２、人差し指用筒１２４及び中指用筒１２６において、指を挿入する側が大径であることにより、指を挿入しやすい。指先を操作して、操作補助具付きタッチペン２００を動かして、携帯端末等を操作することができる。このとき、上述したように、他の端部が細径であることによって、操作補助具付きタッチペン２００を操作する際に力を入れやすい。
【００３２】
以上説明したように、本実施形態によれば、操作補助具２２０を有することによって、タッチペン２１０を使用する際に、指先の動きを補助することが可能である。また、操作補助具２２０において、指を挿入する側が大径であることにより、指を挿入しやすい。また、他の端部が細径であることによって、タッチペン２１０を操作する際に力を入れやすい。
【００３３】
特に、小さな子供やご高齢の方や病気の方などで、腕や指は動くが、握力が無いような場合に、効果的である。また、被介護者の自助具としても有効である。
【００３４】
なお、本実施形態では、筆記具ーの一例としてタッチペンを例に挙げて説明したが、他の筆記具、例えば鉛筆や万年筆やペン等であっても、本実施形態と同様の構成とすることができ、本実施形態と同様の効果を得ることができる。
【００３５】
以上、添付図面を参照しながら本考案の好適な実施形態について説明したが、本考案はかかる例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【００３６】
例えば、上記実施形態（図２）では、操作補助具１２０（２２０）を構成する親指用筒１２２、人差し指用筒１２４及び中指用筒１２６において、すべての筒が指を挿入する側の端部から他の端部に向かって、徐々に径が細くなっている例について説明したが、本考案はこれに限定されない。少なくとも一つの筒がこのような先細りの構成になっていれば、他の筒はこのような先細りの構成になっていなくてもよい。また、すべての筒がこのような先細りの構成になっていなくてもよい。
【産業上の利用可能性】
【００３７】
本考案は、器具を指先で操作する際の補助となる補助具を備えた、操作補助具付き器具に利用可能である。より詳細には、操作補助具付きカトラリー及び操作補助具付き筆記具に利用可能である。
【符号の説明】
【００３８】
１００  操作補助具付きスプーン
１１０  スプーン
１２０  操作補助具
１２２  親指用筒
１２４  人差し指用筒
１２６  中指用筒
２００  操作補助具付きタッチペン
２１０  タッチペン
２２０  操作補助具
【図１】
0003193686.tif 000003
【図２】
0003193686.tif 000004
【図３】
0003193686.tif 000005
【図４】
0003193686.tif 000006